(57)【特許請求の範囲】
【請求項１】
車体側に立設されるシャフトと、
前記シャフトの軸周り方向に回転可能に該シャフトに支持される回転体と、
前記回転体に搭載されるモータと、
前記モータの駆動力を前記シャフトに伝達して、前記回転体を前記シャフトの軸周り方向に回転させる動力伝達機構と
を有する車両用電動格納式視認装置において、
前記回転体は前記モータのモータ本体部を保持するモータ保持部材を有し、
前記モータ保持部材は筒部と爪係合片を有し、
前記筒部は前記モータ本体部を収容する内部空間と該内部空間の開口端を有し、かつ該筒部は前記モータ本体部をモータシャフトが突出している側を先頭側にして前記開口端から前記内部空間に進入させて該内部空間に収容するとともに前記モータシャフトの回転を該内部空間の外に出力させる構成を有し、
前記爪係合片は、前記筒部の前記内部空間の軸方向の奥側に固定端、前記開口端側に自由端を配置して該内部空間に臨んで配置された脚部と、該脚部に前記内部空間側に向けて配置された係合爪を有し、かつ該爪係合片は前記係合爪の係合面を、前記筒部に収容された前記モータ本体部の被係合箇所に係合させて該モータの軸方向の移動を係止する構成を有し、
前記係合爪の前記係合面は前記内部空間の前記開口端よりも該内部空間の奥側の位置に配置されており、
前記回転体は、前記モータ保持部材に被せられるカバーを有し、
前記カバーはその内周面に、前記爪係合片に当接して該爪係合片が前記筒部の外方向に拡がるのを係止する押さえ部を有する
車両用電動格納式視認装置。
【請求項２】
前記モータ本体部の周方向について前記爪係合片の前記脚部の幅は該爪係合片の前記係合爪の幅よりも広く構成されている請求項１に記載の車両用電動格納式視認装置。
【請求項３】
車体側に立設されるシャフトと、
前記シャフトの軸周り方向に回転可能に該シャフトに支持される回転体と、
前記回転体に搭載されるモータと、
前記モータの駆動力を前記シャフトに伝達して、前記回転体を前記シャフトの軸周り方向に回転させる動力伝達機構と
を有する車両用電動格納式視認装置において、
前記回転体は前記モータのモータ本体部を保持するモータ保持部材を有し、
前記モータ保持部材は筒部と爪係合片を有し、
前記筒部は前記モータ本体部を収容する内部空間と該内部空間の開口端を有し、かつ該筒部は前記モータ本体部をモータシャフトが突出している側を先頭側にして前記開口端から前記内部空間に進入させて該内部空間に収容するとともに前記モータシャフトの回転を該内部空間の外に出力させる構成を有し、
前記爪係合片は、前記筒部の前記内部空間の軸方向の奥側に固定端、前記開口端側に自由端を配置して該内部空間に臨んで配置された脚部と、該脚部に前記内部空間側に向けて配置された係合爪を有し、かつ該爪係合片は前記係合爪の係合面を、前記筒部に収容された前記モータ本体部の被係合箇所に係合させて該モータの軸方向の移動を係止する構成を有し、
前記係合爪の前記係合面は前記内部空間の前記開口端よりも該内部空間の奥側の位置に配置されており、
前記モータ本体部の周方向について前記爪係合片の前記脚部の幅は該爪係合片の前記係合爪の幅よりも広く構成され、
前記爪係合片の前記係合爪は前記脚部の幅方向の中央部に配置され、
前記脚部は該脚部の面内で前記係合面に臨む位置に開口部を有する
車両用電動格納式視認装置。
【請求項４】
前記筒部は、その周方向の２箇所に、前記内部空間の前記開口端に連通して構成された２つの切欠を有し、
前記爪係合片は前記筒部の前記２つの切欠により該筒部から周方向に分離された部分を前記脚部として有する
請求項１から３のいずれか１つに記載の車両用電動格納式視認装置。
【請求項５】
前記爪係合片の前記自由端の先端は前記内部空間の前記開口端と並ぶ位置にまたは該開口端よりも該内部空間の奥側の位置に配置されている請求項１から４のいずれか１つに記載の車両用電動格納式視認装置。
【発明の詳細な説明】
【技術分野】
【０００１】
この発明は車両用電動格納式ミラー、車両用電動格納式カメラ等の車両用電動格納式視認装置に関し、モータの保持性能を向上させたものである。
【背景技術】
【０００２】
車両用電動格納式ドアミラーは一般に、車体側にシャフトを立設し、該シャフトに回転体を該シャフトの軸周り方向に回転可能に支持し、該回転体にモータ等を搭載し、該回転体と該シャフトの間に動力伝達機構を配置した構成を有する。このような構成を有する電動格納式ドアミラーは、モータの駆動力を動力伝達機構を介してシャフトに伝達することにより、回転体をシャフトの軸周り方向に可逆回転させて電動格納・展開動作を実現させる。従来の電動格納式ドアミラーとして例えば特許文献１に記載されたものがある。この電動格納式ドアミラーは、モータ保持構造が筒部と爪係合片を具えている。爪係合片は脚部と該脚部の自由端側に筒部の内部空間側に向けて配置された係合爪を有する。筒部はモータ本体部を、モータシャフトが突出している側を先頭側にして開口端から進入させて内部空間に収容する。爪係合片は、筒部に収容されたモータ本体部の後部の段部に係合爪を係合させてモータの軸方向の移動を係止する。
【先行技術文献】
【特許文献】
【０００３】
【特許文献１】特開２０１３−０６７２７８号公報
【発明の概要】
【発明が解決しようとする課題】
【０００４】
特許文献１に記載のモータ保持部材によれば、モータを筒部の内部空間の開口端から該内部空間に進入させて該筒部に組み付ける際に、該筒部に対してモータの軸が大きくずれたりあるいは大きく傾いた姿勢でモータを進入させると、モータ本体部が爪係合片を筒部の外方向に大きく撓ませて塑性変形させ、爪係合片によるモータの保持性能を低下させることがあった。
【０００５】
この発明は、モータの保持性能を向上させた車両用電動格納式視認装置を提供するものである。
【課題を解決するための手段】
【０００６】
この発明の車両用電動格納式視認装置は、車体側に立設されるシャフトと、前記シャフトの軸周り方向に回転可能に該シャフトに支持される回転体と、前記回転体に搭載されるモータと、前記モータの駆動力を前記シャフトに伝達して、前記回転体を前記シャフトの軸周り方向に回転させる動力伝達機構とを有する車両用電動格納式視認装置において、前記回転体は前記モータのモータ本体部を保持するモータ保持部材を有し、前記モータ保持部材は筒部と爪係合片を有し、前記筒部は前記モータ本体部を収容する内部空間と該内部空間の開口端を有し、かつ該筒部は前記モータ本体部をモータシャフトが突出している側を先頭側にして前記開口端から前記内部空間に進入させて該内部空間に収容するとともに前記モータシャフトの回転を該内部空間の外に出力させる構成を有し、前記爪係合片は、前記筒部の前記内部空間の軸方向の奥側に固定端、前記開口端側に自由端を配置して該内部空間に臨んで配置された脚部と、該脚部に前記内部空間側に向けて配置された係合爪を有し、かつ該爪係合片は前記係合爪の係合面を、前記筒部に収容された前記モータ本体部の被係合箇所に係合させて該モータの軸方向の移動を係止する構成を有し、前記係合爪の前記係合面は前記内部空間の前記開口端よりも該内部空間の奥側の位置に配置されているものである。これによれば、係合爪の係合面は内部空間の開口端よりも該内部空間の奥側の位置に配置されているので（言い換えれば、内部空間の開口端が係合爪の係合面よりも、内部空間に進入するために該開口端に接近してくるモータに近い側に配置されているので）、モータを筒部の内部空間の開口端から該内部空間に進入させて該筒部に組み付ける際に、筒部は内部空間に進入するモータ本体部をいち早く支持することができる。すなわち、係合面が内部空間の開口端と同じ位置かまたは該開口端よりも内部空間の外側の位置に配置されている場合に比べて、モータ本体部が爪係合片を撓ませ始めるタイミングとの相対的な関係で、モータ本体部を筒部で支持し始めるタイミングを早めることができる。これにより、モータ本体部が爪係合片を筒部の外方向に大きく撓ませる前に、該筒部に対してモータ本体部の姿勢を整えることができる。その結果、モータ本体部が爪係合片を筒部の外方向に大きく撓ませて塑性変形させるのが防止されるので、爪係合片によるモータの保持性能を向上させることができる。
【０００７】
この発明において、前記筒部は、その周方向の２箇所に、前記内部空間の前記開口端に連通して構成された２つの切欠を有し、前記爪係合片は前記筒部の前記２つの切欠により該筒部から周方向に分離された部分を前記脚部として有することができる。これによれば、筒部の周方向の一部で爪係合片を構成することができる。
【０００８】
この発明において、前記爪係合片の前記自由端の先端は前記内部空間の前記開口端と並ぶ位置にまたは該開口端よりも該内部空間の奥側の位置に配置されているものとすることができる。これによれば、モータを筒部の内部空間の開口端から該内部空間に進入させて該筒部に組み付ける際に、筒部は内部空間に進入するモータ本体部を、よりいち早く支持することができる。これにより、モータ本体部が爪係合片を筒部の外方向に大きく撓ませて塑性変形させるのをより確実に防止して、爪係合片によるモータの保持性能を更に向上させることができる。
【０００９】
この発明において、前記回転体は、前記モータ保持部材に被せられるカバーを有し、前記カバーはその内周面に、前記爪係合片に当接して該爪係合片が前記筒部の外方向に拡がるのを係止する押さえ部を有することができる。これによれば、モータをモータ保持部材に保持した状態で、該モータ保持部材にカバーを被せると、該カバーの押さえ部は爪係合片が筒部の外方向に拡がるのを係止するので、爪係合片とモータ本体部との係合状態が外れるのが防止され、モータをより確実にモータ保持部材に保持することができる。
【００１０】
この発明において、前記モータ本体部の周方向について前記爪係合片の前記脚部の幅は該爪係合片の前記係合爪の幅よりも広く構成されているものとすることができる。これによれば、脚部の剛性を高めてモータの保持性能をより向上させることができる。
【００１１】
この発明において、前記モータ本体部の周方向について前記爪係合片の前記脚部の幅は該爪係合片の前記係合爪の幅よりも広く構成され、前記爪係合片の前記係合爪は前記脚部の幅方向の中央部に配置され、前記脚部は該脚部の面内で前記係合面に臨む位置に開口部を有することができる。これによれば、爪係合片の脚部を成形する位置にスライド金型を進入させて、爪係合片の係合面を構成するアンダーカット面を成形することができるので、筒部の底部にスライド金型の進入に伴う開口部が開設されなくて済む。したがって、モータ本体部の先端面（モータシャフトが突出している面）を支持する筒部の底部にスライド金型の進入に伴う開口部が形成されないので、該開口部を通して筒部の内部空間と筒部の底部の外側の空間との間で水やグリース等が出入りするのを防止することができる。これにより、筒部の内部空間に収容されたモータや筒部の底部の外側空間に配置された部品類に不具合が生じるのを防止することができる。
【図面の簡単な説明】
【００１２】
【図１】図３に示すプレートアウタ６８にモータ７６を組み付ける手順を示す工程図で、図１３のＢ−Ｂ矢視位置で切断した端面図である。
【図２】この発明の実施の形態に係る車両右側用電動格納式ドアミラーの分解斜視図である。
【図３】図２に示す電動格納ユニット１６の分解斜視図である。
【図４】図３に示すフレーム３６を底面側から見た斜視図である。
【図５】図３に示す電動格納ユニット１６の各部品を組み付ける途中の状態を示す斜視図である。
【図６】図２のドアミラー１０を組み立てた状態を示す図で、図７のＡ−Ａ矢視位置の切断端面図である。
【図７】図２のドアミラー１０を組み立てた状態を示す平面図で（ハウジングカバーを外した状態で示す）、ミラー回転部１５が展開位置にある姿勢で示す。
【図８】図３に示すフレーム３６の平面図である。
【図９】図３に示すプレートアウタ６８の平面図である。
【図１０】図３に示すプレートアウタ６８の底面図である。
【図１１】図３に示すプレートアウタ６８の正面図である。
【図１２】図３に示すプレートアウタ６８の一側面から見た斜視側面図である。
【図１３】図３に示すプレートアウタ６８の他側面から見た側面図である。
【図１４】図３に示すプレートアウタ６８を樹脂成形する際に、スライド金型１５３で爪係合片１３９の係合爪１４３のアンダーカット（係合面１４３ａ）を成形する工程を示す図で、図１３のＢ−Ｂ矢視位置で切断した端面図である。
【図１５】図３に示す電動格納ユニット１６の部品を組み立てた状態を示す平面図で、プレートアウタ（モータ保持部材）６８およびシールキャップ（カバー）９０を外した状態で示す（モータ７６は図示する）。
【図１６】図２に示す電動格納ユニット１６の、図１５のＤ−Ｄ矢視位置での切断端面図で、シールキャップ９０（図３）を外した状態で示す。
【図１７】図３に示す電動格納ユニット１６の各部品を組み立てる最終工程として、プレートアウタ６８の上にシールキャップ９０を被せる工程を示す図で、図１３のＢ−Ｂ矢視位置で切断した端面図である。
【発明を実施するための形態】
【００１３】
この発明の実施の形態を説明する。図２はこの発明が適用された車両右側用電動格納式ドアミラーの分解斜視図を示す。図２ではミラー回転部１５を展開位置の姿勢で背面側（車両前方側）から見た状態を示す。また、図２ではバイザー１４の正面開口１４ａ内に配置される鏡面調整用アクチュエータおよびミラー板、バイザー１４の背面側に装着するハウジングカバー（図６の符号１７）等は図示を省略している。このドアミラー１０はミラーベース１２と、ミラー回転部１５と、これら両者の間に接続される電動格納ユニット１６を具える。ミラー回転部１５はバイザー１４を有する。ミラーベース１２は車体（右ドア）１３から車両右方に向けて突設されている。電動格納ユニット１６は下部に固定体１６ａと上部に回転体１６ｂを有し、回転体１６ｂは固定体１６ａに対し回転軸１８の周り方向に回転可能である。バイザー１４の背面側には電動格納ユニット１６の回転体１６ｂが２本のねじ２０をバイザー１４の下面から電動格納ユニット１６の回転体１６ｂにねじ込んで固定される。回転体１６ｂがバイザー１４に固定された電動格納ユニット１６の固定体１６ａは、３本のねじ２２をミラーベース１２の下面から電動格納ユニット１６の固定体１６ａにねじ込んでミラーベース１２に固定される。これによりバイザー１４を含むミラー回転部１５は、電動格納ユニット１６を介して回転軸１８の周り方向に回転可能にミラーベース１２に取り付け支持される。バイザー１４の背面には、図示しないハウジングカバー（図６の符号１７）が装着される。これによりバイザー１４の背面の開口部１４ｂはハウジングカバー１７で塞がれて、電動格納ユニット１６はバイザー１４とハウジングカバー１７で包囲される空間に収容される。ミラー回転部１５は電動格納ユニット１６による電動駆動で回転して格納位置と展開位置に択一的に移動可能である。また、ミラー回転部１５は外力により回転して、格納位置から展開位置を経て前方傾倒位置まで、またその逆方向に移動可能である。
【００１４】
電動格納ユニット１６内の全体の構成を主に図３を参照して説明する。図３の全部品は着脱可能に組み付けられて、電動格納ユニット１６を構成する。電動格納ユニット１６は固定体１６ａを構成するシャフト２４を有する。シャフト２４はＰＡ＋ＧＦ樹脂（ガラス繊維強化ポリアミド樹脂）等の強化樹脂の一体成形品で構成されている。シャフト２４は下部に大径で円板状のシャフト基部２４ａと上部に小径で円筒状のシャフト軸部２４ｂを同軸に有する。シャフト２４は、シャフト基部２４ａの下面をねじ２２（図２）でミラーベース１２に固定することにより、ミラーベース１２に垂直に立設される。シャフト基部２４ａの上面にはその最外周位置に、シャフト２４の軸周り方向に山２６ｂと谷２６ａを交互に３組、各組１２０度ずつ繰り返し配列した山谷反復形状２６が構成されている。１つの谷２６ａの周方向の長さ（角度）は、１つの山２６ｂの周方向の長さ（角度）よりも長い。また、シャフト基部２４ａの上面にはその最内周位置に、２個の高さ維持突起２８がシャフト２４の軸周り方向に１８０度間隔でシャフト軸部２４ｂの外周面に接続して構成されている。高さ維持突起２８はミラー回転部１５が外力で展開位置から前方傾倒位置方向に移動する際に、後述するフレーム３６の高さ維持突起４１と頂面どうしが当接摺動して、シャフト２４に対するフレーム３６の高さを維持することにより、ミラー回転部１５を前方傾倒位置から展開位置まで電動で戻せるようにするものである。また、シャフト基部２４ａの上面には、最外周位置の山谷反復形状２６と最内周位置の高さ維持突起２８の間の径方向位置に一定幅で溝状の軸受け面３０がシャフト２４の軸周り方向に環状にかつ平坦に構成されている。軸受け面３０にはその溝内に樹脂ワッシャ３４が載置収容される。シャフト軸部２４ｂの中空部３１はシャフト基部２４ａを貫通して開設されている。中空部３１には電動格納ユニット１６および鏡面調整用アクチュエータ等に電源を供給する、図示しないワイヤハーネス（外部給電配線）が通される。シャフト軸部２４ｂの外周面には、回転止め凹部３２ａと回転止め凸部３２ｂを周方向に交互に５組、各組等間隔で繰り返し配列した回転止め形状３２が構成されている。個々の回転止め凹部３２ａと回転止め凸部３２ｂはシャフト２４の軸方向に延在して構成されている。回転止め凹部３２ａの上端は、回転止め凹部３２ａに嵌合する相手方回転止め凸部（後述するクラッチプレート５８の内周面に構成された回転止め凸部６２ｂ）を進入させるために上方に開口している。シャフト軸部２４ｂの上部外周面には、後述する金属プレート６６を差し込みかつ回転させて留めるための溝３５が構成されている。
【００１５】
シャフト２４には回転体１６ｂのフレーム３６（後述するシールキャップ９０と共に回転体１６ｂの筐体を構成する）が回転可能に支持される。フレーム３６はＰＡ＋ＧＦ樹脂等の強化樹脂の一体成形品で構成されている。フレーム３６は上方に開口した内部空間３８を有する。内部空間３８の底面３８ａには円筒４０が立設されている。円筒４０の中空部４３は底面３８ａを貫通している。ここで図３を一旦離れ、図４を参照してフレーム３６の下面の構成を説明する。フレーム３６の下面には円筒４０と同軸かつ円筒４０よりも大径で厚肉の円筒３９が下方（図４の上方）に向けて突設されている。円筒３９の内周面には、シャフト基部２４ａの２個の高さ維持突起２８（図３）と頂面どうしが当接摺動する２個の高さ維持突起４１が円筒３９の軸周り方向に１８０度間隔で円筒３９の内周面に接続して構成されている。高さ維持突起４１の内周面は円筒４０の内周面４０ａと同一径方向位置にあり、両内周面は連続した面を構成している。高さ維持突起２８，４１は同一径方向位置にある。円筒３９の下端面はシャフト２４の軸受け面３０と対面する軸受け面４５を構成する。円筒３９の外方には空隙４７を介して外筒４９が円筒３９と同軸に配置されている。空隙４７内にはシャフト基部２４ａの上面の山谷反復形状２６（図３）に嵌合する山谷反復形状２７が構成されている。山谷反復形状２７は円筒３９の軸周り方向に山２７ｂと谷２７ａを交互に３組、各組１２０度ずつ繰り返し配列して構成されている。１つの谷２７ａの周方向の長さ（角度）は、１つの山２７ｂの周方向の長さ（角度）よりも長い。山２７ｂは円筒３９の外周面と外筒４９の内周面と空隙４７の底面に接続して配置されている。外筒４９の周方向の一部の領域にはストッパ５１が下方（図４の上方）に向けて突出して構成されている。ストッパ５１はミラーベース１２に構成されたストッパ溝５７（図２）に周方向に移動自在に差し込まれて、ミラー回転部１５の最大回転範囲（格納位置から前方傾倒位置まで）を設定する。フレーム３６の円筒３９，４０の連続した中空部４３には円筒３９側からシャフト軸部２４ｂが差し込まれる。このときフレーム３６の軸受け面４５は樹脂ワッシャ３４を挟んでシャフト２４の軸受け面３０に軸受け支持される。また、シャフト軸部２４ｂには上側の円筒４０の内周面４０ａが回転可能に支持される。これにより、フレーム３６はシャフト２４の軸周り方向に回転可能にシャフト２４に支持される。シャフト２４の山谷反復形状２６の山２６ｂはフレーム３６の底部の空隙４７に入り込む。この状態では、山谷反復形状２６と山谷反復形状２７は、山２６ｂと谷２６ａの境界の傾斜面と、山２７ｂと谷２７ａの境界の傾斜面とが当接して係止されるまで（または格納方向についてはストッパ５１がストッパ溝５７の一端で係止されるまで）の両回転方向の角度範囲で摺動可能に嵌合し、ミラー回転部１５（図２）が格納位置と展開位置との間で回転するのを許容する。また、展開位置にあるミラー回転部１５に車両前方への所定値以上の外力が与えられたときは、後述するコイルスプリング６４の付勢力に抗して山２６ｂと山２７ｂどうしが互いに相手方の傾斜面を摺動して登り、相手方の山の頂面に乗り上げて山谷反復形状２６と山谷反復形状２７の嵌合を解除し、ミラー回転部１５が前方傾倒位置まで回転するのを許容する。フレーム３６の一側には、フレーム３６をバイザー１４の裏面の上下２箇所のボス４４（図２）にねじ止め固定するためのねじ通し穴４６が構成されている。この実施の形態ではねじ通し穴４６が上中下の３箇所設けられているが、このうち上下２箇所のねじ通し穴４６にそれぞれねじ（図示せず）を差し込んで上下２箇所のボス４４にねじ込むことにより、フレーム３６をバイザー１４の裏面に固定する。
【００１６】
図３に戻って、フレーム３６の内部空間３８の円筒４０の外周には、樹脂ワッシャ４８が緩く装着される。樹脂ワッシャ４８は内部空間３８の底面３８ａに載置支持される。樹脂ワッシャ４８は前記樹脂ワッシャ３４と同一製品である。樹脂製のウォームホイール５０は金属製のウォーム５２の軸５２ａに差し込まれて、両者は相対回転不能に組み付けられる。組み付けられたウォームホイール５０とウォーム５２はフレーム３６の内部空間３８に収容され、所定位置に配置されて、ウォーム５２の軸５２ａの両端部５２ｂ，５２ｃの下面が内部空間３８内の軸受（図８の符号３８ｂ，３８ｃ）に載置支持される（図１５参照）。これによりウォームホイール５０とウォーム５２は内部空間３８で一体に回転する。フレーム３６の内部空間３８の円筒４０の外周には、シャフト外挿ギヤ５４が回転可能に装着される。シャフト外挿ギヤ５４はＰＡ＋ＧＦ樹脂等の強化樹脂の一体成形品で構成されている。シャフト外挿ギヤ５４の中央部にはフレーム３６の円筒４０およびシャフト軸部２４ｂが回転可能に差し込まれる中空部５５が構成されている。シャフト外挿ギヤ５４の下面の軸受け面１０６（図６）は樹脂ワッシャ４８の上に摺動可能に載置支持される（図６）。シャフト外挿ギヤ５４の外周面は、はす歯によるギヤ歯５４ｂが構成されてウォームホイールを構成している。ギヤ歯５４ｂはウォーム５２と噛み合わされてウォームギヤを構成する。シャフト外挿ギヤ５４の上面には、クラッチ谷５６ａとクラッチ山５６ｂをシャフト外挿ギヤ５４の軸周り方向に交互に５組、各組等間隔で繰り返し配列したシャフト外挿ギヤ側クラッチ面５６が構成されている。１つのクラッチ谷５６ａの周方向の長さ（角度）と、１つのクラッチ山５６ｂの周方向の長さ（角度）は等しく設定されている。
【００１７】
シャフト外挿ギヤ５４の上にはクラッチプレート５８がシャフト軸部２４ｂに差し込まれて同心状に載置支持される。クラッチプレート５８はＰＡ＋ＧＦ樹脂等の強化樹脂の一体成形品で構成されている。クラッチプレート５８の中央部にはシャフト軸部２４ｂが回転不能にかつ軸方向に移動可能に差し込まれる中空部５９が構成されている。クラッチプレート５８の下面には、クラッチ谷６０ａとクラッチ山６０ｂをクラッチプレート５８の軸周り方向に交互に５組、各組等間隔で繰り返し配列したシャフト側クラッチ面６０が構成されている。シャフト外挿ギヤ側クラッチ面５６とシャフト側クラッチ面６０はクラッチ機構６１を構成する。シャフト側クラッチ面６０の１つのクラッチ谷６０ａの周方向の長さ（角度）と、１つのクラッチ山６０ｂの周方向の長さ（角度）は等しく設定されている。また、シャフト外挿ギヤ側クラッチ面５６とシャフト側クラッチ面６０とは内径および外径が等しい。したがって、シャフト外挿ギヤ側クラッチ面５６のクラッチ谷５６ａとクラッチ山５６ｂは、シャフト側クラッチ面６０のクラッチ山６０ｂとクラッチ谷６０ａにがたつきなく嵌合する。クラッチ谷５６ａとクラッチ山５６ｂの境界位置の段差、クラッチ谷６０ａとクラッチ山６０ｂの境界位置の段差は傾斜角度が互いに等しい傾斜面でそれぞれ構成されている。これにより、シャフト外挿ギヤ側クラッチ面５６とシャフト側クラッチ面６０の嵌合は、これら両クラッチ面５６，６０の相互間に作用する回転力により外れることができる。クラッチプレート５８の内周面には、回転止め凹部６２ａと回転止め凸部６２ｂを周方向に５組配列した回転止め形状６２が軸方向に延在して構成されている。回転止め凹部６２ａと回転止め凸部６２ｂはシャフト軸部２４ｂの外周面に構成された回転止め凸部３２ｂと回転止め凹部３２ａにそれぞれ僅かな隙間を介して対面する。これにより、回転止め凹部６２ａと回転止め凸部６２ｂは回転止め凸部３２ｂと回転止め凹部３２ａに対し軸周り方向に回転不能にかつ軸方向に摺動可能に嵌合する。その結果、クラッチプレート５８はシャフト軸部２４ｂの軸周り方向に回転不能で軸方向に移動可能にシャフト軸部２４ｂに装着される。
【００１８】
クラッチプレート５８の上にはコイルスプリング６４がシャフト軸部２４ｂに差し込まれて同心状に載置支持される。コイルスプリング６４の上には金属プレート６６がコイルスプリング６４を押圧圧縮しながらシャフト軸部２４ｂに差し込まれる。金属プレート６６の内周面に構成された突起６６ａをシャフト軸部２４ｂの上部外周面に構成された溝３５に沿って差し込み回転させることで、金属プレート６６はシャフト軸部２４ｂの上部に装着される。これにより、コイルスプリング６４は圧縮状態でシャフト軸部２４ｂに装着される。このとき、コイルスプリング６４の伸長力がクラッチプレート５８の上面と金属プレート６６の下面との間に作用する。この伸長力によりシャフト基部２４ａの上面の山谷反復形状２６とフレーム３６の下面の山谷反復形状２７（図４）との間、およびシャフト外挿ギヤ５４の上面のシャフト外挿ギヤ側クラッチ面５６とクラッチプレート５８の下面のシャフト側クラッチ面６０との間にそれぞれ嵌合力が与えられる。ただし、ミラー回転部１５が格納位置と展開位置の間にあるときは、コイルスプリング６４からフレーム３６に与えられる伸長力は軸受け面４５から樹脂ワッシャ３４を介して軸受け面３０で受けられて、ミラー回転部１５の回転は軸受け面４５，３０どうしが樹脂ワッシャ３４を挟んで摺動することにより行われるので（すなわち樹脂ワッシャ３４を挟んだ軸受け面４５，３０どうしの当接摺動でミラー回転部１５の回転を軸受け支持するので）、山谷反復形状２６，２７の対向面どうしは離されていて当接摺動しない（図６参照）。
【００１９】
図３の右側に示した各部品を全て組み付けた後、フレーム３６の上端の開口３６ａの内周側の段部３６ｂにプレートアウタ６８が載置されて、開口３６ａが閉じられる。プレートアウタ６８はＰＯＭ（ポリアセタール）等の樹脂の一体成形品で構成されている。プレートアウタ６８は上面にモータ７６を収容保持する筒部７２および、フレーム３６の開口３６ａから上方に突出しているシャフト軸部２４ｂの上部とコイルスプリング６４と金属プレート６６を包囲するドーム７４を有する。これにより、モータ７６はシャフト軸部２４ｂの側方位置に、モータ７６の回転軸をシャフト２４の軸（回転軸１８に相当）と平行にして配置されることになる。ドーム７４の中央部にはシャフト軸部２４ｂの上部を突き出させる丸穴７４ａが開設されている。プレートアウタ６８がフレーム３６に被せられる前に、プレートアウタ６８には筒部７２にモータ７６が上方から挿入されて装着される。モータ７６のモータシャフト（出力シャフト、回転軸棒）７８は、筒部７２内の底部７３（図６、図９）の中央部に構成された穴７３ａを貫通して鉛直下方に向けてプレートアウタ６８の下方に突出している。モータシャフト７８にはウォーム８０が装着される。プレートアウタ６８はこのようにモータ７６およびウォーム８０を保持した状態でフレーム３６の開口３６ａの内周側の段部３６ｂに載置される。このときウォーム８０はウォームホイール５０と噛み合わされてウォームギヤを構成する。また、ウォーム８０、ウォームホイール５０、ウォーム５２、シャフト外挿ギヤ５４、クラッチプレート５８は、モータ７６の駆動力をシャフト軸部２４ｂに伝達する動力伝達機構８１を構成する。また、プレートアウタ６８の下面から下方に向けて突出して構成された２本の突片７７（図１０、図１１、図１３）の下端面がウォーム５２の軸５２ａの両端部５２ｂ，５２ｃの上面に僅かな隙間を介してそれぞれ対面し、ウォーム５２とウォームホイール５０が上方に移動するのを規制する。プレートアウタ６８がフレーム３６の開口３６ａの内周側の段部３６ｂに載置された後、プレートアウタ６８は４本のねじ８２でフレーム３６に固定される。
【００２０】
プレートアウタ６８がフレーム３６に固定された後、プレートアウタ６８の上面の筒部７２とドーム７４の間の空間（言い換えれば、モータ７６とシャフト軸部２４ｂの間の空間）７５内に回路基板（プリント基板）８４が立てて配置される。シャフト外挿ギヤ５４は樹脂を基材とする材料で構成されているので、シャフト外挿ギヤとして必要な強度を確保するために、シャフト外挿ギヤ５４は金属製のシャフト外挿ギヤに比べて大径となる。これに伴いモータ７６とシャフト軸部２４ｂの間の空間７５は拡げられているので、回路基板８４がコネクタ受け具（ソケット）８８等を搭載しているために搭載部品を含めた全体の厚さが厚くなっていても、該回路基板８４を空間７５に容易に配置することができる。回路基板８４にはモータ７６に駆動電力を供給するモータ駆動回路と、このモータ駆動回路とモータ７６の端子８５（モータ端子、雌型端子、図７）を接続するモータ接続端子８６（雄型端子）と、ワイヤハーネス（図示せず）の先端のコネクタ８９（図７）が差し込まれてワイヤハーネスとモータ駆動回路を接続するコネクタ受け具８８（ソケット、コネクタ受部）が搭載されている。コネクタ受け具８８内には、ワイヤハーネスの先端のコネクタ８９の端子（図示せず）と電気的に接続されるコネクタ接続端子９１（図７）が配置されている。回路基板８４の下端８４ａはプレートアウタ６８の筒部７２とドーム７４の間の空間７５の底部に構成された溝７５ａに差し込まれて支持され、モータ接続端子８６の先端はモータ端子８５に差し込まれて支持される。これにより回路基板８４は空間７５に立てて配置されると共にモータ接続端子８６とモータ端子８５が電気的に接続される。
【００２１】
フレーム３６にプレートアウタ６８が固定され、プレートアウタ６８に回路基板８４が取り付けられた後、プレートアウタ６８の上にはシールキャップ９０が被せられる。シールキャップ９０はＰＰ（ポリプロピレン）等の樹脂の一体成形品で構成されている。シールキャップ９０の上面には、シャフト軸部２４ｂの中空部３１の上部開口３１ａに連通する丸穴９２が開設されている。また、シールキャップ９０の一側面には、回路基板８４のコネクタ受け具８８のコネクタ差込口８８ａ（図５等）に連通するコネクタ挿入口９４が開設されている。また、シールキャップ９０の下端の開口９６の周囲４箇所には爪係止枠９８が構成されている。シールキャップ９０をプレートアウタ６８に被せて押下すると、フレーム３６の上部外周面の周囲４箇所に突出構成された爪１００がシールキャップ９０の爪係止枠９８に係合する。これにより、フレーム３６とシールキャップ９０が連結され、電動格納ユニット１６が一体に組み立てられた状態となる。このようにして組み立てられた電動格納ユニット１６のシャフト軸部２４ｂの中空部３１にはワイヤハーネスが通される。ワイヤハーネスは、電動格納ユニット１６用配線のほか、ドアミラー１０に搭載する機能に応じて、鏡面調整用アクチュエータ用配線、ターンランプ用配線等を含んでいる。ワイヤハーネスのミラー回転部１５側の端部はシールキャップ９０の丸穴９２から排出される。ワイヤハーネスの車体側の端部はシャフト２４の中空部３１の下端から排出されて、車体内に導かれる。ワイヤハーネスの各配線のミラー回転部１５側の端部にはコネクタがそれぞれ装着されている。このうち、電動格納ユニット１６用配線の先端のコネクタ８９（図７）は、コネクタ挿入口９４に差し込まれて、回路基板８４のコネクタ受け具８８に接続される。
【００２２】
図５は、図３の右側に示した各部品を組み付け、さらにモータ７６とウォーム８０を保持したプレートアウタ６８をフレーム３６の上端の開口３６ａの内周側に嵌めて４本のねじ８２でフレーム３６に固定した状態の組み立て途中の製品に、回路基板８４とシールキャップ９０を組み付ける様子を示す。この図５ではプレートアウタ６８の筒部７２に対するモータ本体部６９の保持状態がよく現れている。すなわち、モータ７６はモータシャフト７８（図３）を下に向けてモータ本体部６９の全体がプレートアウタ６８の筒部７２の内部空間１２９に埋没して保持され、筒部７２に対するモータ軸に直交する方向の移動およびモータ軸周り方向の回転が係止されている。また、モータ７６は爪係合片１３９で筒部７２に対するモータ軸方向の移動が係止されている。このモータ保持構成の詳細については後述する。回路基板８４はプレートアウタ６８の上面の筒部７２とドーム７４の間の空間７５内に挿入され、回路基板８４の下端８４ａがプレートアウタ６８の溝７５ａに着脱可能に差し込まれ、モータ接続端子８６の先端がモータ端子８５（図７）に着脱可能に差し込まれる。このようにして、回路基板８４は溝７５ａとモータ端子８５で着脱可能に支持されることにより、空間７５内に立てた姿勢で製品に組み付けられる。回路基板８４が組み付けられた後、上からシールキャップ９０が被せられ、シールキャップ９０の爪係止枠９８にフレーム３６の爪１００が着脱可能に係合して、シールキャップ９０は製品に組み付けられる。シールキャップ９０が製品に組み付けられた後、シャフト軸部２４ｂの中空部３１にはワイヤハーネスが通される。シールキャップ９０が製品に組み付けられた状態では、回路基板８４のコネクタ受け具８８のコネクタ差込口８８ａとシールキャップ９０のコネクタ挿入口９４が連通し、ワイヤハーネスの電動格納ユニット１６用配線のコネクタ８９をコネクタ挿入口９４からコネクタ差込口８８ａに差し込んでコネクタ受け具８８に連結できる状態となる。
【００２３】
図６は以上の構成を有するドアミラー１０をシャフト２４およびモータ７６の各中心軸を通る位置で切断して示したものである。これは、図７のＡ−Ａ矢視位置での切断端面構造に相当する。この図６は、バイザー１４にハウジングカバー１７を装着し、ミラー回転部１５が展開位置の姿勢にあり、かつシャフト外挿ギヤ側クラッチ面５６とシャフト側クラッチ面６０が噛み合っているときの状態を示す。このとき、山谷反復形状２６と山谷反復形状２７は、図６では現れていないが、山２６ｂと谷２６ａの境界の傾斜面と、山２７ｂと谷２７ａの境界の傾斜面とが当接して係止されている。図６の展開位置にある状態からミラースイッチを操作して格納指令を与えると、モータ７６が起動される。モータ７６の回転はウォーム８０、ウォームホイール５０、ウォーム５２を介してシャフト外挿ギヤ５４に伝達される。このときシャフト外挿ギヤ側クラッチ面５６とシャフト側クラッチ面６０は噛み合っていて、シャフト外挿ギヤ５４はシャフト軸部２４ｂに対して回転できないので、代わりにフレーム３６をシャフト軸部２４ｂの軸周り方向を回転させるように力が作用する。これにより、軸受け面３０と軸受け面４５が樹脂ワッシャ３４を挟んで摺動し、かつ、フレーム３６の内部空間３８の底面３８ａとシャフト外挿ギヤ５４の下面の軸受け面１０６が樹脂ワッシャ４８を挟んで摺動してミラー回転部１５は格納方向に回転する。ミラー回転部１５の回転が格納位置でストッパ５１（図４）とストッパ溝５７（図２）の一端との係合により物理的に停止されると、該停止が検知されてモータ７６の駆動は停止される。これでミラー回転部１５が格納位置に保持される。この状態からミラースイッチを操作して展開指令を与えると、モータ７６が逆方向に起動され、ミラー回転部１５は展開方向に回転する。ミラー回転部１５の回転が展開位置で山谷反復形状２６の山２６ｂと谷２６ａの境界の傾斜面と、山谷反復形状２７の山２７ｂと谷２７ａの境界の傾斜面との係合により停止されると、該停止が検知されてモータ７６の駆動は停止される。これでミラー回転部１５は展開位置に保持される。
【００２４】
図７は図２のドアミラー１０を組み立てて車両に搭載して、ミラー回転部１５が展開位置にある姿勢で上方から見た状態を示したものである。図７では、ハウジングカバー１７（図６）を外し、かつ電動格納ユニット１６内を透視した状態で示し、かつコネクタ受け具８８にワイヤハーネスの電動格納ユニット１６用配線のコネクタ８９をゴムパッキン１０１を付けて差し込んだ状態で示す。図７において、回路基板８４は、モータ接続端子８６をモータ端子８５に差し込み、かつ回路基板８４の下端８４ａをプレートアウタ６８に構成された溝７５ａ（図３、図５、図６）に差し込んで支持した状態で、モータ７６とシャフト軸部２４ｂの間の空間７５に全体が縦置きに配置されている。
【００２５】
フレーム３６の内部空間３８内の構成を図８を参照して説明する。フレーム３６の内部空間３８内には、既に説明した構成のほか、ウォームホイール収容空間１１１、ウォーム収容空間１１３、ウォームホイール進入口１１５、４個のねじ穴１１７等が構成されている。ウォームホイール収容空間１１１はウォーム５２の軸５２ａに同軸に固定装着されたウォームホイール５０を収容する。このときウォーム５２の軸５２ａは両端部５２ｂ，５２ｃが軸受３８ｂ，３８ｃに支持されている。ウォーム収容空間１１３はウォーム８０を同軸に収容する空間で、ウォーム８０よりも大径の円柱状の空間で構成される。ウォームホイール進入口１１５はウォームホイール収容空間１１１とウォーム収容空間１１３を連通させて、ウォームホイール５０の外周面をウォームホイール進入口１１５を通してウォーム収容空間１１３に進入させ、ウォームホイール５０とウォーム８０とが噛み合うようにする。４個のねじ穴１１７はプレートアウタ６８をフレーム３６の上に固定するための４本のねじ８２（図３）をねじ込むためのねじ穴である。ウォーム収容空間１１３の底部にはウォーム収容空間１１３の一般径よりも小径の軸受凹部９３が構成されている。軸受凹部９３にはグリースが充填され、ウォーム８０の先端部８０ａ（図１６）が収容されて、軸受け支持される。ウォーム収容空間１１３の円形の上部開口部１１３ａには、プレートアウタ６８の下面の穴７３ａ（モータシャフト７８を通すための穴、図１６、図６）と同心に、プレートアウタ６８の下面に構成された円形の凸部１１９（図１０、図１１等）が、ウォームホイール進入口１１５に臨む箇所を除き、周囲に隙間なく（またはほぼ隙間なく）収容される。これにより、凸部１１９の外周面は上部開口部１１３ａの内周面に全周の半周以上の領域が包囲されて支持され、その結果凸部１１９の中心の穴７３ａから突出するモータシャフト７８はウォーム収容空間１１３に対し、モータシャフト７８の軸に直交する面方向に位置決めされる。ウォーム収容空間１１３の周囲には、ウォームホイール進入口１１５に臨む箇所を除き、一定厚の円筒状壁部１２１を残して平面Ｃ字形状の肉抜き１２３が深く構成されている。肉抜き１２３を設けることにより、フレーム３６の樹脂成形に伴うヒケを抑制して、ウォーム収容空間１１３の上部開口部１１３ａの成形精度を高めることができる。これにより、ウォーム収容空間１１３に対するモータシャフト７８の、モータシャフト７８の軸に直交する面方向の位置決め精度が向上する。その結果、ウォーム８０とウォームホイール５０との噛み合い状態を正常な状態に維持して、ウォーム８０とウォームホイール５０とが噛み合って回転する際の動作音を正常なレベルに保つことができる。
【００２６】
モータ保持部材を構成するプレートアウタ６８の構成を図９〜図１３を参照して説明する。プレートアウタ６８は、平板状の板状部１２５の上面に垂直に、筒部７２とドーム７４を空間７５を挟んで並べて突設した構造を有する。板状部１２５は、その下面周縁部１２５ａ（図１０等）がフレーム３６の上端の開口３６ａの内周側の段部３６ｂ（図８）に当接して、フレーム３６の上に載置支持される。板状部１２５の下面には２本の突片７７が下方に向けて突設されている。突片７７は、その下端面がウォーム５２（図１５）の軸５２ａの両端部５２ｂ，５２ｃの上面に僅かな隙間を介してそれぞれ対面し、ウォーム５２とウォームホイール５０が上方に移動するのを規制する。板状部１２５の面内の周辺部には、フレーム３６の４個のねじ穴１１７（図８）にそれぞれ連通する４個のねじ通し穴１２７が開設されている。プレートアウタ６８をフレーム３６の上端の開口３６ａの内周側の段部３６ｂに載置支持し、４本のねじ８２（図３）をねじ通し穴１２７を通してねじ穴１１７にねじ込むことにより、プレートアウタ６８はフレーム３６に固定される。
【００２７】
筒部７２の構成を説明する。図９〜図１３において、筒部７２はモータ本体部６９を収容保持する（図１６等）内部空間１２９を有する。内部空間１２９の深さ（内部空間１２９の底部７３の表面から開口端１２９ａまでの高さ）はモータ本体部６９の軸方向の長さ（モータ本体部６９の前端面６９ａから後端面６９ｂまでの長さ）よりも長く、モータ本体部６９は筒部７２の内部空間１２９に全体が収容される。筒部７２はモータ本体部６９の形状に合わせて、対向する一対の円弧面部７２ａ，７２ｂと、対向する一対の平面部７２ｃ，７２ｄを有する（図９等）。内部空間１２９は上方に開口し、その開口端１２９ａからモータ７６を内部空間１２９に進入させることができる。内部空間１２９の周壁面には、モータ７６の外周面に当接して、モータ７６をがたつきなく内部空間１２９に保持するための複数本の突条１３１（図９、図１２）が上下方向に延在して構成されている。すなわち、突条１３１は、円弧面部７２ａ，７２ｂの幅方向の中央部の各１箇所と、平面部７２ｃ，７２ｄの幅方向の両端部の各２箇所の合計６箇所に、内部空間１２９の底部７３の表面位置から内部空間１２９の中央部の高さ位置まで延在して構成されている。突条１３１の上端面１３１ａ（図１２）は、内部空間１２９にモータ本体部６９を進入させる際にモータ本体部６９の前端面６９ａが該上端面１３１ａに引っ掛かって係止されないように、モータ本体部６９の進入方向向きに傾斜する傾斜面に構成されている。筒部７２の平面部７２ｃには上方に開口した切欠１３３が構成されている（図１２等）。回路基板８４のモータ接続端子８６はこの切欠１３３を通ってモータ端子８５に接続される（図５、図７）。筒部７２の平面部７２ｄと円弧面部７２ａとの境界部分および平面部７２ｄと円弧面部７２ｂとの境界部分には、該境界部分の境界線に沿って切欠１３５，１３７が上下方向（筒部７２の内部空間１２９の軸方向）に延在して開設されている（図１２、図１３等）。切欠１３５，１３７の上端は筒部７２の上端（内部空間１２９の開口端１２９ａ）に開口している。切欠１３５，１３７の下端は筒部７２の上下方向のほぼ中間に位置している。筒部７２の上側約半分の部分は切欠１３５，１３７により周方向に分離され、該分離された部分で爪係合片１３９を構成する。すなわち、筒部７２の上側約半分の部分の周方向の一部で爪係合片１３９が構成されている。爪係合片１３９の下端は固定端１３９ａとして筒部７２の下側約半分の部分に接続され、爪係合片１３９の上端は自由端１３９ｂを構成する。これにより、爪係合片１３９は固定端１３９ａを支点として外力により筒部７２の内外方向に弾性変形して撓むことができる。自由端１３９ｂの先端は筒部７２の内部空間１２９の開口端１２９ａと同一高さ位置にある。爪係合片１３９は固定端１３９ａに支持された脚部１４１と、脚部１４１の上部の自由端１３９ｂのすぐ下の位置で、脚部１４１の幅方向の中央部の内周面に、内部空間１２９に臨んで突設された係合爪１４３を有する。脚部１４１の幅は係合爪１４３の幅よりも格段に広い。脚部１４１の幅から後述する開口部１４５の幅を差し引いたとしてもなお、係合爪１４３の幅よりも広い。したがって脚部１４１は剛性が高く構成されている。係合爪１４３の下面（アンダーカット面）は、モータ７６の進入方向に概ね直交する面である係合面１４３ａを構成する。係合面１４３ａは内部空間１２９の開口端１２９ａよりも下側の位置（すなわち開口端１２９ａよりも内部空間１２９の奥側の位置）に配置されている。係合面１４３ａはモータ本体部６９の後端面６９ｂに当接して、内部空間１２９から抜け出る方向についてモータ本体部６９の移動を係止する。係合爪１４３の上面は傾斜面１４３ｂを有する。脚部１４１の幅方向の中央部には係合面１４３ａのすぐ下の位置から下方に直線状に延在して開口部１４５が開設されている。開口部１４５の幅は係合面１４３ａの幅と等しくまたは係合面１４３ａの幅よりも広く構成されている。脚部１４１の幅が係合爪１４３の幅よりも広いので、脚部１４１に開口部１４５を形成する設計が可能になっている。開口部１４５の上端面１４５ａ（図１３）は係合面１４３ａと同一高さ位置に構成されている。開口部１４５は、プレートアウタ６８の樹脂成形時に、この位置にスライド金型を進入させてアンダーカット面である係合面１４３ａを成形することに伴い開設される。スライド金型で係合面１４３ａを成形する工程を図１４に示す。スライド金型１５３は、プレートアウタ６８を樹脂成形する金型内で、係合面１４３ａを成形する位置に進入する（工程(i)）。この状態で加熱溶融させた樹脂を金型内に射出注入する。樹脂が固化後スライド金型１５３を筒部７２の内部空間１２９の軸（モータ７６の軸）に直交する方向に抜く（工程(ii)）。これにより、係合面１４３ａが成形され開口部１４５が開設される。アンダーカット面である係合面１４３ａを成形するために、図１４の手法に代えて、筒部７２の底部７３側からスライド金型を進入させる（すなわちスライド金型の型抜き方向を筒部７２の内部空間１２９の軸方向（図１４の下方向）に設定する）手法も考えられる。しかし、この代替手法によれば、筒部７２の底部７３に、スライド金型を進入させることに伴う開口部が開設される。この底部７３の開口部は筒部７２の内部空間１２９を底部７３の下方空間に連通させるので、この開口部を通して内部空間１２９と底部７３の下方空間との間で水やグリース等が出入りし易くなり、モータ７６や下方空間のギヤ類に不具合を生じさせる恐れがある。これに対し、図１４のようにスライド金型１５３の型抜き方法を筒部７２の内部空間１２９の軸に直交する方向に設定すると、スライド金型１５３の進入に伴う開口部１４５は爪係合片１３９の脚部１４１に開設されるので、筒部７２の底部７３はスライド金型の進入に伴う開口部は開設されず塞がっているので、このような問題は生じない。図１４の手法は、脚部１４１の幅が係合爪１４３の幅よりも広いことにより採用可能となっている。
【００２８】
図９〜図１３において、筒部７２の内部空間１２９の底部７３の中央部にはモータシャフト７８を内部空間１２９から排出する穴７３ａと、穴７３ａの外周側に穴７３ａと同心状に配置された平面円形の凹部１４７が構成されている（図９）。凹部１４７には、モータ本体部６９の前端面６９ａ（図１６）の中央部にモータシャフト７８と同軸に構成された正面円形の凸部１４９が嵌合する。これにより、穴７３ａを貫通するモータシャフト７８の軸心は穴７３ａの中心に高精度に位置決めされる。筒部７２の内部空間１２９の底部７３の四隅には、モータ本体部６９の前端面６９ａの四隅に当接して該前端面６９ａを支持する微少な高さの支持台１５１が突出構成されている（図９）。支持台１５１の表面から係合面１４３ａまでの高さが丁度モータ本体部６９の軸方向の長さ（モータ本体部６９の前端面６９ａから後端面６９ｂまでの長さ）に設定されている。
【００２９】
図１５はプレートアウタ６８およびシールキャップ９０を外した状態で示した電動格納ユニット１６の平面図である。図１５のＤ−Ｄ矢視位置での切断端面図を図１６に示す。図１６の配置を説明する。プレートアウタ６８はフレーム３６の段部３６ｂに当接支持されて、ねじ８２（図３）でフレーム３６に固定されている。モータ本体部６９はプレートアウタ６８の筒部７２に収容保持されている。モータ本体部６９の後端面６９ｂには、爪係合片１３９の係合面１４３ａが係合している。これにより、筒部７２に対するモータ７６の戻りすなわち内部空間１２９への進入方向と逆方向の移動が阻止される。モータシャフト７８にはウォーム８０が緩く装着されている。モータシャフト７８にはその軸方向に沿って基端側に丸棒部７８ａが構成され、先端側に係合棒部７８ｂが構成されている。モータシャフト７８が差し込まれるウォーム８０の中心穴８３はその軸方向に沿って基端側に丸棒部７８ａを収容する丸穴部８３ａが構成され、先端側に係合棒部７８ｂを収容する係合穴部８３ｂが構成されている。係合棒部７８ｂと係合穴部８３ｂは断面が非円形であるため回転方向に係合する。これによりモータシャフト７８が回転すると、これに従動してウォーム８０が回転し、ウォーム８０の回転に従動してウォームホイール５０が回転する。
【００３０】
図１の工程(i)〜(iv)はモータ７６をプレートアウタ６８に組み付ける手順を示す。この組付けは例えば作業者による手作業で行われる。図１の工程を説明する。
(i) モータ７６の向きをモータシャフト７８側が筒部７２の内部空間１２９に向くように設定する。この姿勢でモータ７６を内部空間１２９に向けて移動させていく。
(ii) モータシャフト７８が内部空間１２９に進入し、続いてモータ本体部６９の前端面６９ａが筒部７２の開口端１２９ａに進入すると、間もなく、前端面６９ａの外周縁の角部６９ｃが係合爪１４３の上面の傾斜面１４３ｂに当接する。モータ本体部６９をそのまま内部空間１２９に押し込んでいくと、角部６９ｃは該傾斜面１４３ｂを摺動して、爪係合片１３９を筒部７２の外方向に撓ませて（弾性変形させて）いく。爪係合片１３９が撓み始める頃にはモータ本体部６９の先頭部分は内部空間１２９の周壁面に支持され、筒部７２に対してモータ本体部６９の姿勢を整える（筒部７２の軸に対してモータ本体部６９の軸を近づけかつ傾きを小さくする）ことができるので、爪係合片１３９を必要以上に撓ませなく済む。
(iii) モータ本体部６９を更に内部空間１２９に押し込んでいくと、係合爪１４３の先端面１４３ｃがモータ本体部６９の側面６９ｄを摺動しながら、モータ本体部６９は内部空間１２９に進入していく。モータ本体部６９の先頭部分が切欠１３５，１３７の下端部１３５ａ，１３７ａ(図１２、図１３)を通過すると、内部空間１２９の周壁面の全周に適宜の間隔で配置されている複数本の突条１３１（図９、図１２）がモータ本体部６９の外周面に押し当たり、モータ本体部６９は突条１３１に外周面が支持されて内部空間１２９の軸に直交する方向の動きが禁止される。これでモータ本体部６９は内部空間１２９の軸に対して真っ直ぐの姿勢に保たれる。また、モータ本体部６９は内部空間１２９の軸周り方向の移動も禁止される。このまま、モータ本体部６９を、突条１３１の押圧力による突条１３１とモータ本体部６９の側面６９ｄとの間の摩擦力に抗して内部空間１２９に押し込んでいくと、モータシャフト７８は内部空間１２９の底部７３の穴７３ａから内部空間１２９の外部に排出されていく。
(iv) モータ本体部６９の前端面６９ａが内部空間１２９の底部７３の四隅の支持台１５１（図９）に当接して支持されるとモータ本体部６９の進入が係止される。これと同時に係合爪１４３の先端面１４３ｃはモータ本体部６９の側面６９ｄの後尾位置に達して側面６９ｄとの摺動が外れる。これにより、弾性変形していた爪係合片１３９が内周方向に戻って係合面１４３ａがモータ本体部６９の後端面（被係合箇所）６９ｂに係合する。これにより、モータ７６は軸方向の移動が係止されて、筒部７２の内部空間１２９にがたつきなく保持された状態となる。以上でプレートアウタ６８に対するモータ７６の組み付けが完了する。
【００３１】
図１７は図３に示す電動格納ユニット１６の部品を組み立てる最終工程でプレートアウタ６８の上にシールキャップ９０を被せる状態を示す。シールキャップ９０の内周面には、爪係合片１３９の背面１３９ｃの上部に対面する位置に、係合爪１４３の背面に向けて押さえ部１５５が突出形成されている。プレートアウタ６８にシールキャップ９０を被せて装着すると、押さえ部１５５は係合爪１４３の背面に僅かな隙間ｇを隔てて対面する。これにより、爪係合片１３９が経年変化等で筒部７２の外方向に拡がろうとしても、押さえ部１５５に当接して係止されるので、係合爪１４３とモータ本体部６９の後端面６９ｂとの係合が外れるのが阻止される。
【００３２】
前記実施の形態では爪係合片１３９の自由端１３９ｂの先端を内部空間１２９の開口端１２９ａと同じ高さ位置に配置したが、爪係合片１３９の自由端１３９ｂの先端を内部空間１２９の開口端１２９ａよりも低い位置または高い位置に配置することもできる。要は、係合面１４３ａが開口端１２９ａよりも低い位置（開口端１２９ａよりも内部空間１２９の奥側の位置）にあればよい。また、前記実施の形態ではモータ本体部６９の後端面６９ｂを爪係合片１３９による被係合箇所としたが、モータ本体部の被係合箇所はこれに限らない。すなわち、モータ本体部の側面の凹所等を爪係合片による被係合箇所とすることもできる。また、前記実施の形態ではこの発明を車両用電動格納式後方視認ミラーに適用した場合について説明したが、この発明はこれに限らない。すなわち、この発明はドアミラーに代えて車両のドア等に車両側方に突出して搭載される車両用電動格納式後方視認カメラや、その他の車両用電動格納式後方視認装置さらには後方視認用途以外の車両用電動格納式視認装置に適用することもできる。車両用電動格納式後方視認カメラは、例えば図２のバイザー１４を小型に構成して、ミラー板に代えてカメラを、バイザー１４が使用位置にあるときに該カメラの光軸が車両後方に向くように搭載したものとして構成することができる。
【符号の説明】
【００３３】
１０…電動格納式ドアミラー（車両用電動格納式視認装置）、１３…車体（右ドア）、１６…電動格納ユニット、１６ｂ…回転体、２４…シャフト、６８…プレートアウタ（モータ保持部材）、６９…モータ本体部、６９ｂ…モータ本体部の後端面（被係合箇所）、７２…筒部、７６…モータ、７８…モータシャフト、８１…動力伝達機構、９０…シールキャップ（カバー）、１２９…筒部の内部空間、１２９ａ…内部空間の開口端、１３５，１３７…切欠、１３９…爪係合片、１３９ｂ…爪係合片の自由端、１４１…脚部、１４３…係合爪、１４３ａ…係合面、１４５…脚部の開口部、１５５…押さえ部
【図１】
0006494371.tif 000002
【図２】
0006494371.tif 000003
【図３】
0006494371.tif 000004
【図４】
0006494371.tif 000005
【図５】
0006494371.tif 000006
【図６】
0006494371.tif 000007
【図７】
0006494371.tif 000008
【図８】
0006494371.tif 000009
【図９】
0006494371.tif 000010
【図１０】
0006494371.tif 000011
【図１１】
0006494371.tif 000012
【図１２】
0006494371.tif 000013
【図１３】
0006494371.tif 000014
【図１４】
0006494371.tif 000015
【図１５】
0006494371.tif 000016
【図１６】
0006494371.tif 000017
【図１７】
0006494371.tif 000018